(57)【要約】【課題】釘の打ち込みが直線的となるように正確に打ち込むことを可能にするための畳表張り付け用釘打ち機を提供すること。【解決手段】弾倉部に充填された釘を発射端部から打ち込むことによって畳床に畳表を張り付けて畳を形成するための畳表張り付け用釘打ち機において、前記発射端部の釘発射方向と略直交する方向に配置された前記弾倉部の下面に、打点定規を設け、この打点定規は、弾倉部の下面に取り付けた磁石と、この磁石の吸着力によって磁石の上に取り付けられる磁性体からなるヨークと、このヨークに取り付けられ、発射端部の先端の高さと略同一面となる平面部に釘を打ち込む発射端部から所定の距離を持って係止段部を突設した係止部材とを具備してなるものである。【選択図】図１
0003124256.tif 000002
【実用新案登録請求の範囲】
【請求項１】
弾倉部に充填された釘を発射端部から打ち込むことによって畳床に畳表を張り付けて畳を形成するための畳表張り付け用釘打ち機において、前記発射端部の釘発射方向と略直交する方向に配置された前記弾倉部の下面に、打点定規を設け、この打点定規は、前記釘を打ち込む発射端部の先端の高さと略同一面の平面部に前記発射端部から所定の距離を持って係止段部を突設した係止部材を具備してなることを特徴とする畳表張り付け用釘打ち機。
【請求項２】
打点定規は、弾倉部の下面に取り付けた磁石と、この磁石の吸着力によって磁石の上に取り付けられる磁性体からなるヨークと、このヨークに取り付けられ、発射端部の先端の高さと略同一面となる平面部に釘を打ち込む発射端部から所定の距離を持って係止段部を突設した係止部材とを具備してなることを特徴とする請求項１記載の畳表張り付け用釘打ち機。
【請求項３】
打点定規は、弾倉部の下面に固定的に取り付けた磁石と、この磁石の吸着力によって磁石の上に着脱自在に取り付けられる磁性体からなるヨークと、このヨークに取り付けられ、発射端部の先端の高さと略同一面となる平面部に釘を打ち込む発射端部から所定の距離を持って係止段部を突設した係止部材とを具備し、前記係止部材は、釘を打ち込む発射端部からの距離がそれぞれ異なる複数の係止部材をそれぞれヨークに取り付けたものを用意し、これらを磁石に選択的に取り付けて使用するようにしたことを特徴とする請求項１記載の畳表張り付け用釘打ち機。
【考案の詳細な説明】
【技術分野】
【０００１】
本考案は、畳床に畳表を張り付けたり、張り付けた畳表の上に畳縁を一体に張り付けたりする際に使用される畳表張り付け用釘打ち機であり、詳しくは、畳縁を電気タッカー、エアタッカー等によって釘を打ち込んで張り付ける場合に、その打ち込み精度を上げて見た目を良くするとともに、作業能率を向上させるための畳表張り付け用釘打ち機に関するものである。
【背景技術】
【０００２】
通常、畳床２９の１畳の大きさは、厚さ×幅×長さが５５ｍｍ×９００ｍｍ弱×１８００ｍｍ弱であり、藁を圧縮したもの、図８に示すような、厚さ２０ｍｍ程度の発泡スチロール板１８の上下面に、厚さ１５ｍｍ程度の木材のチップを圧縮した軟質パーチクル板１７を重ね合わせ、さらに最下面にシートを積層して全体を縫製したものなどがある。また、この畳床２９には、厚さが２８ｍｍ程度のもの、大きさが半畳ものなどもある。なお、部屋の敷居、壁などに接する側を下前１３といい、部屋の中央部分に位置する側を上前１２という。
【０００３】
この畳床２９には、畳表１６が張り付けられるが、畳表１６は、従来から知られている天然い草を畳糸１３で縫製したものであり、厚さは、通常２．５ｍｍである。この畳表１６は、長さを畳床２９の両端から下端まで巻き込めるように畳床２９の長さよりも両端に所定の長さ（例えば８０ｍｍ程度）だけ長くし、また、幅については、上前１２側を直線的に切断し、下前１３側に畳床２９の幅より所定の長さ（例えば３０ｍｍ程度）だけ長くしてなり、これを畳表１６に幾つかの工程によって張り付けが行われる。
【０００４】
この畳表１６を畳床２９に張り付ける工程の一つに、縁布１１に厚紙などからなる縁下紙１４を重ね合わせてなる畳縁３１を、畳床２９の長辺部分に取り付ける工程がある。この工程は、上前１２側の畳縁３１を直線的に取り付けたり、下前１３側で敷居、壁などにぴったりと一致するように調整したりするのは、永年の経験を有する職人だけの仕事とされていて、素人にはできないこととされていた。
【０００５】
この課題を解決するために、本出願人は、畳職人としての経験を有しない人でも簡単に、しかも、正確できれいに畳表の張り替えのできる方法として、畳縁用縁下紙と畳表の張付け方法を提案している（特許文献１）。
【０００６】
この特許文献１では、図７に示すように、畳縁３１は、縁布１１に、厚紙などからなる縁下紙１４を重ね合わせてなるものを用いる。この縁下紙１４は、一端縁から所定の幅の位置に順次、山折り目２５、谷折り目２４、谷折り目２４が形成され、それぞれ折り込み部３４、芯部３５、重ね合わせ部３６、折り込み部３７となる。また、芯部３５と重ね合わせ部３６の間の谷折り目２４の約１ｍｍ内側に沿って一定間隔で釘打ち込み印１９が形成されている。
【０００７】
このような縁布１１と縁下紙１４とを取り付ける場合、先ず、図７に示すように、縁布１１は、畳床２９の長辺の長さより両端でそれぞれ約１０ｃｍ程度長めに切断し、手前側の縁端を上前１２側の角部から約１５ｍｍ離し、縁布折返部２８を畳床２９の側端に垂れ下げて縁布１１にしわがよらないようにやや伸ばしながら仮止めピン３２で仮止めする。
縁下紙１４は、折り込み部３４と芯部３５を、その山折り目２５部分で山折りとして上前１２側の角部に押し付けることにより、正確な直線と位置決めができる。
【０００８】
この状態で、縁下紙１４の釘打ち込み印１９の左右両端部や中央部分など数個所にタッカー３８によりコ字形などの釘２０を打ち込んで仮止めする。仮止め後、一定間隔で設けられた釘打ち込み印１９に対して、順次、タッカー３８によってコ字形などの釘２０を打ち付ける。ここで、図６に示すように、タッカー３８の発射位置は、発射端部３９の前端から約２ｍｍであるから、これに合わせてタッカー３８のグリップ４１を握って引き金４２を引くことにより弾倉部４０からコ字形などの釘２０が送り出されて順次釘打ち込み印１９にコ字形などの釘２０が打ち込まれる。
【０００９】
次に、図７において、折り込み部３４を手前に垂らしたままで縁下紙１４の折り込み部３７を谷折り目２４部分で内側に折り込んで重ね合わせ部３６と折り込み部３７の２枚重ねとし、さらに中央の谷折り目２４で芯部３５の上に折り込むことにより、畳表１６の上面で芯部３５、重ね合わせ部３６、折り込み部３７の３枚重ねとなる。この縁下紙１４の折り込みの後、３枚重ねの縁下紙１４に被せるようにして縁布１１を手前に折たたむ。この状態で縁布１１の両端の縁布折返部２８部分を畳床２９の側面から下面まで巻き込み、この縁布折返部２８の下面部分にコ字形などの釘２０を打ち込んで固定する。さらに、図８に示すように、縁布１１を畳床２９の端面側に折り込んでコ字形などの釘２０で固定する。最後に、縁布１１の手前側の両端部分の縁布折返部２８を３角形に折り込んで、この３角形部分を先に巻き込んでおいた縁布折返部２８と畳床２９との間に押し込み、この押し込み部分にコ字形などの釘２０を打ち込み固定する。
【００１０】
以上のような方法により、畳職人としての経験を有しない人でも簡単に、上前１２側の畳縁３１を直線的に取付けることが可能となる。また、下前１３側における畳縁３１の取り付けについても、特許文献１において提案している。
【特許文献１】特開２０００−３４８２４号公報
【考案の開示】
【考案が解決しようとする課題】
【００１１】
上記特許文献１に記載の方法によれば、畳縁３１を、畳糸を用いて取付ける場合に比べて、畳職人としての経験が無くとも簡単に行うことが可能となった。しかし、この場合、畳縁３１を固定するためにタッカー３８によって釘２０を打ち込む位置が直線的となるように正確に位置決めを行わないと、畳縁３１がうねりが生じて直線的にならなかったり、一部分に皺が生じてしまったりする恐れがある。
【００１２】
前記特許文献１においては、位置決めの手法として、図６に示すように、折り込み部３７を谷折り目２４で折り返すと、その端縁から釘打ち込み印１９までの距離が２ｍｍとなるように設定されているので、この折り込み部３７の端縁部分を定規代わりにしてタッカー３８の発射端部３９を当てがいつつコ字形などの釘２０を打ち込むか、又は、折り込み部３７を定規代わりとするのに不慣れな場合には、図６に示すように、折り込み部３７の端縁と一致するように定規３３を載せ仮止めピン３２で仮止めして、この定規３３を用いて打ち込むという方法を提案している。
【００１３】
しかし、折り込み部３７の端縁部分を定規代わりに用いる場合も仮止めピン３２で仮止めして定規３３を用いる場合も、あくまでこれらは目安であり、また、タッカー３８側には位置を固定するための構成が無いため、タッカー３８の発射の精度に関してはユーザの操作による影響が大きく、釘２０を直線的に打ち込むことができずにうねりが生じて見た目が悪く、また、位置合わせに手間取り作業性も悪いという問題があった。
【００１４】
本考案は、上記問題点に鑑みなされたものであり、タッカーによって釘を打ち込む際に、打ち込み位置が直線的となるように正確に打ち込むことを可能にするための畳表張り付け用釘打ち機を提供することを目的とするものである。
【課題を解決するための手段】
【００１５】
請求項１記載の考案は、弾倉部に充填された釘を発射端部から打ち込むことによって畳床に畳表を張り付けて畳を形成するための畳表張り付け用釘打ち機において、前記発射端部の釘発射方向と略直交する方向に配置された前記弾倉部の下面に、打点定規を設け、この打点定規は、前記釘を打ち込む発射端部の先端の高さと略同一面の平面部に前記発射端部から所定の距離を持って係止段部を突設した係止部材を具備してなることを特徴とする畳表張り付け用釘打ち機である。
【００１６】
請求項２記載の考案は、打点定規は、弾倉部の下面に取り付けた磁石と、この磁石の吸着力によって磁石の上に取り付けられる磁性体からなるヨークと、このヨークに取り付けられ、発射端部の先端の高さと略同一面となる平面部に釘を打ち込む発射端部から所定の距離を持って係止段部を突設した係止部材を具備してなることを特徴とする請求項１記載の畳表張り付け用釘打ち機である。
【００１７】
請求項３記載の考案は、打点定規は、弾倉部の下面に固定的に取り付けた磁石と、この磁石の吸着力によって磁石の上に着脱自在に取り付けられる磁性体からなるヨークと、このヨークに取り付けられ、発射端部の先端の高さと略同一面となる平面部に釘を打ち込む発射端部から所定の距離を持って係止段部を突設した係止部材を具備し、前記係止部材は、釘を打ち込む発射端部からの距離がそれぞれ異なる複数の係止部材をそれぞれヨークに取り付けたものを用意し、これらを磁石に選択的に取り付けて使用するようにしたことを特徴とする請求項１記載の畳表張り付け用釘打ち機である。
【考案の効果】
【００１８】
請求項１記載の考案によれば、弾倉部に充填された釘を発射端部から打ち込むことによって畳床に畳表を張り付けて畳を形成するための畳表張り付け用釘打ち機において、前記発射端部の釘発射方向と略直交する方向に配置された前記弾倉部の下面に、打点定規を設け、この打点定規は、前記釘を打ち込む発射端部の先端の高さと略同一面の平面部に前記発射端部から所定の距離を持って係止段部を突設した係止部材を具備してなるので、畳床の端部側面に係止部材の係止段部を当接させることで、畳床の端部側面から発射端部の発射位置までの距離を常に一定に保ち、常に一定間隔で釘を打ち込むことができ、打ち込み完了後の釘は、縁からの距離が一定の直線的な状態となるため、完成後の畳縁も直線的で見た目のきれいな状態に仕上げることができる。また、位置合わせが簡単で、作業性に優れているという効果がある。
【００１９】
請求項２記載の考案によれば、打点定規は、弾倉部の下面に取り付けた磁石と、この磁石の吸着力によって磁石の上に取り付けられる磁性体からなるヨークと、このヨークに取り付けられ、発射端部の先端の高さと略同一面となる平面部に釘を打ち込む発射端部から所定の距離を持って係止段部を突設した係止部材を具備してなるので、係止部材を取り付けたヨークは、磁石の吸着力によって取り付けられているため、使用しない場合には取り外しが可能となる。
【００２０】
請求項３記載の考案によれば、打点定規は、弾倉部の下面に固定的に取り付けた磁石と、この磁石の吸着力によって磁石の上に着脱自在に取り付けられる磁性体からなるヨークと、このヨークに取り付けられ、発射端部の先端の高さと略同一面となる平面部に釘を打ち込む発射端部から所定の距離を持って係止段部を突設した係止部材を具備し、前記係止部材は、釘を打ち込む発射端部からの距離がそれぞれ異なる複数の係止部材をそれぞれヨークに取り付けたものを用意し、これらを磁石に選択的に取り付けて使用するようにしたので、発射端部から係止段部までの距離がそれぞれ異なる複数の係止部材をそれぞれヨークに取り付けたものを予め用意し、これらを磁石に対して適宜選択して使用可能で、畳縁の幅を自由に選択することが可能となる。
【考案を実施するための最良の形態】
【００２１】
本考案の畳表張り付け用釘打ち機は、弾倉部に充填された釘を発射端部から打ち込むことによって畳床に畳表を張り付けて畳を形成するための畳表張り付け用釘打ち機において、前記発射端部の釘発射方向と略直交する方向に配置された前記弾倉部の下面に、打点定規を設け、この打点定規は、前記釘を打ち込む発射端部の先端の高さと略同一面の平面部に前記発射端部から所定の距離を持って係止段部を突設した係止部材を具備してなるものである。
【００２２】
前記打点定規は、弾倉部の下面に取り付けた磁石と、この磁石の吸着力によって磁石の上に取り付けられる磁性体からなるヨークと、このヨークに取り付けられ、発射端部の先端の高さと略同一面となる平面部に釘を打ち込む発射端部から所定の距離を持って係止段部を突設した係止部材を具備してなる。
【００２３】
また、打点定規は、弾倉部の下面に固定的に取り付けた磁石と、この磁石の吸着力によって磁石の上に着脱自在に取り付けられる磁性体からなるヨークと、このヨークに取り付けられ、発射端部の先端の高さと略同一面となる平面部に釘を打ち込む発射端部から所定の距離を持って係止段部を突設した係止部材を具備し、前記係止部材は、釘を打ち込む発射端部からの距離がそれぞれ異なる複数の係止部材をそれぞれヨークに取り付けたものを用意し、これらを磁石に選択的に取り付けて使用する。
以下、図面を用いて具体的実施例の説明を行う。
【実施例１】
【００２４】
本考案の実施例を図面に基づいて説明する。
図１に示すものは、本考案の畳表張り付け用釘打ち機で、圧搾空気によるエアタッカーでもよいし、電磁石などによる電気タッカーでもよい。この畳表張り付け用釘打ち機としてのタッカー３８は、図６に示したものと同様のものであり、弾倉部４０にコ字形などの釘２０を装填した後にグリップ４１を握って引き金４２を引くことにより、発射端部３９から釘２０が順次打ち出される構成となっている。このタッカー３８の下面に取り付けられる弾倉部４０の発射端部３９に近い端部に、釘の打ち込み位置を設定する係止部材４３、磁束を収束するヨーク４５及び吸着用の磁石４６からなる本考案特有の打点定規４８を取付ける。
【００２５】
この打点定規４８は、図１及び図２に示すような構成となっている。
先ず、前記タッカー３８の下端の発射端部３９には、水平に挿抜自在な弾倉部４０が設けられ、この弾倉部４０の下面であって、前記発射端部３９に近い端部に、前記磁石４６を接着剤４７によって取付ける。
一方、前記ヨーク４５に、接着剤４４によって係止部材４３を取付ける。このヨーク４５は、磁性体材料、例えば鉄製のものが使用され、断面がコの字形状をしたものであり、コの字部分は磁石４６の３方に嵌まり込むサイズに形成してある。このヨーク４５の下面に取り付けられる前記係止部材４３は、図１及び図２に示すように、金属板をＬ字形に折曲したもので、一端部がヨーク４５の端部と揃うようにし、かつ、タッカー３８の発射端部３９から遠い側に係止段部４３ａがくるようにして、平面部４３ｂを接着剤４４による接着、溶接等によって取付ける。この係止部材４３は、図３に示すように、タッカー３８の発射端部３９の釘２０の位置から係止段部４３ａまでの距離Ｄ１が、所望の畳縁３１の幅となる位置に釘２０を打ち込めるように形成する。
タッカー３８の弾倉部４０に貼り付けられた磁石４６に、係止部材４３を取付けたヨーク４５のコの字形状部分を被せると、磁石４５の吸着力によってヨーク４５は固定される。この場合において、図３に示すように、タッカー３８の発射端部３９の先端と係止部材４３の平面部４３ｂの高さが同一平面となるように、係止部材４３、ヨーク４５及び磁石４６の各部材の寸法が設定されている。
【００２６】
以上のような構成による畳表張り付け用釘打ち機の使用方法を説明する。
例えば、図７に示すように、畳床２９に畳表１６が重ねて取り付けられており、この畳表１６の上に縁布１１と縁下紙１４とをタッカー３８による釘２０を用いて畳縁３１を固定する。
【００２７】
さらに詳しくは、先ず、タッカー３８の弾倉部４０に接着等によって取り付けられた磁石４６に、係止部材４３を取り付けたヨーク４５を、先端部を揃えて嵌め込む。その後、図１の矢印に示すように、弾倉部４０を発射端部３９に当接する位置まで移動させて打ち込み可能な状態とする。この状態で、図７に示すように、一定間隔で釘２０を打ち込むが、このとき、図３に示すように、畳床２９の端部側面に、係止部材４３の係止段部４３ａを当接させる。このようにすることで、係止段部４３ａの位置から発射端部３９の発射位置までの距離Ｄ１を常に一定に保つことができる。
【００２８】
後は、タッカー３８を横方向にスライドさせながら、一定間隔で釘２０を打ち込むことで、打ち込み完了後の釘２０は、縁からの距離が一定の直線的な状態となるため、完成後の畳縁３１も直線的できれいな状態に仕上げることができる。
なお、必ずしも上記のような縁布１１の取り付けに限定されるものではなく、タッカー３８による釘２０を用いて畳表１６を畳床２９の裏側に取り付ける場合にも用いることができる。
また、図８に示すように、畳床２９の側面に畳縁３１を取りつける場合にも用いることができる。
【実施例２】
【００２９】
前記実施例１では、釘打ち距離がＤ１の縁布用の場合を例示した。
しかし、縁布１１の幅の異なるものに使用したり、畳表１６の取り付け寸法の異なるものに使用したりするため、図４に示すような前記距離Ｄ１とは異なる距離Ｄ２の係止部材４９を用いることができる。この場合、磁石４６は、弾倉部４０に固定的に取り付けられているので、距離Ｄ１の係止部材４３を磁石４６から剥がして距離Ｄ２の係止部材４９を取り付けたヨーク４５を磁石４６に吸着固定する。
【００３０】
さらに詳しくは、図４に示すように、前記実施例１における係止部材４３とは異なる係止部材４９を取付けたヨーク４５を別途構成し、前記係止部材４９の平面部４９ｂを、釘打ち位置から係止段部４９ａまでの距離が、前記長さＤ１とは異なる長さＤ２となるようにして、磁石４６に、係止部材４９付きヨーク４５を吸着固定する。
【００３１】
このように、距離の異なる２種類の係止部材４３、４９をそれぞれ取付けた２つのヨーク４５を設けて磁石４６に吸着固定することによって、異なる縁幅の畳縁３１に使用したり、他の目的に使用したりすることが可能となる。２種類に限らず、これ以外にも複数種類の異なる距離に対応できるものを用意して、適宜選択して使用することにより、畳縁３１や畳表１６の取り付け幅を自由に選択することが可能となり、それぞれの長さで、完成後の畳縁３１や畳表１６を直線的できれいな状態に仕上げることが可能となる。
【実施例３】
【００３２】
前記実施例１及び２においては、異なる距離に対応するため、打点定規４８は、弾倉部４０に固定した磁石４６に、係止部材４３を貼り付けたヨーク４５を着脱自在に嵌め込んで使用する構成となっていた。しかし、必ずしもこの実施形態に限られるものではない。
【００３３】
例えば、タッカー３８の弾倉部４０が鉄などの磁性金属で形成されている場合には、係止部材４３（又は４９）、ヨーク４５及び磁石４６を接着等により全てが一体となるようにした打点定規４８を構成し、この打点定規４８全体を、タッカー３８の弾倉部４０に着脱自在に取付けるようにしてもよい。
このような構成とすることで、タッカー３８を他の使用目的で使用する場合に、弾倉部４０の下面の打点定規４８全体を取り外して使用することができるため、打点定規４８がタッカー３８としての使用に邪魔になることがない。
【実施例４】
【００３４】
前記実施例１乃至３においては、打点定規４８は、弾倉部４０に固定した磁石４６に、係止部材４３を貼り付けたヨーク４５を着脱自在に嵌め込んで使用する構成、又は、打点定規４８全体を弾倉部４０に着脱自在に取付ける構成として説明した。しかし、必ずしもこの実施形態に限られるものではない。
【００３５】
例えば、取り外し可能な構成を採らずに、係止部材４３（又は４９）、ヨーク４５及び磁石４６を全て接着等によりタッカー３８の弾倉部４０に固定してしまってもよい。
また、完全に固定してしまう場合には、上記係止部材４３（又は４９）、ヨーク４５及び磁石４６によって打点定規４８を構成するものに限らず、例えば、図５に示すように、全体を一体に形成した打点定規５０を採用することもできる。この場合の打点定規５０は、プラスチックなどを用い、前記係止部材４３（又は４９）と同様に、タッカー３８の発射端部３９の先端と高さが同一平面となる平面部５０ｂと、係止段部４３ａ（又は４９ａ）に対応する畳床２９に当接させる係止段部５０ａを有するように一体成型加工する。
【００３６】
前記実施例において、係止部材４３（又は４９）は、金属材料をＬ字形に折り曲げて係止段部４３ａ（又は４９ａ）と平面部４３ｂ（又は４９ｂ）とを有するものとした。しかし、必ずしもこの実施形態のようにＬ字形に限られるものではない。例えば、図５に示す打点定規５０のように、全体としてはＬ字形ではないものも本考案の対象であるし、Ｔ字形状のものであっても本考案と同様の効果を得ることができる。つまり、本考案においては、タッカー３８の発射端部３９の先端と高さが同一平面となる平面部分と、畳床２９に当接させる係止部分を有するものであればよく、本考案においてＬ字形部材と使用したのはあくまで形状の一例であって、係止部材に限らず、上記の特徴部分を持った全ての形状を包含する。
【００３７】
前記実施例においては、タッカー３８として、弾倉部４０が最下面に設けてあるものを例として用い、この弾倉部４０に、本考案の打点定規４８又は打点定規５０を取り付けるものとして説明を行った。しかし、本考案はこれに限定されるものではなく、例えば、弾倉部４０が最下面に設けられていないタッカーであっても、発射端部３９の先端と高さが同一平面となる平面部分と、畳床２９に当接させる係止段部分を有する打点定規４８又は打点定規５０を取り付けることが可能であれば、若干の設計変更によって適宜本考案を適応可能である。
【図面の簡単な説明】
【００３８】
【図１】本考案による畳表張り付け用釘打ち機の一実施例を示す一部切り欠いた側面図である。
【図２】図１において、タッカー３８の弾倉部４０に打点定規４８を取り付けた状態を表した斜視図である。
【図３】本考案による畳表張り付け用釘打ち機の要部を切り欠いた側面図である。
【図４】本考案による他の実施例の打点定規４８を示した側面図である。
【図５】本考案によるさらに他の実施例の打点定規４８を示した側面図である。
【図６】従来の畳縁３１の取付け方法を表した側面図である。
【図７】従来の畳縁３１の取付け方法を表した斜視図である。
【図８】従来の取付け方法によって畳縁３１を取り付けた状態を表した断面図である。
【符号の説明】
【００３９】
１１…縁布、１２…上前、１３…下前、１４…縁下紙、１６…畳表、１７…軟質パーチクル板、１８…発泡スチロール、１９…釘打ち込み印、２０…釘、２４…谷折り目、２５…山折り目、２８…縁布折返部、２９…畳床、３１…畳縁、３２…仮止めピン、３３…定規、３４…折り込み部、３５…芯部、３６…重ね合わせ部、３７…折り込み部、３８…タッカー、３９…発射端部、４０…弾倉部、４１…グリップ、４２…引き金、４３…係止部材、４３ａ…係止段部、４３ｂ…平面部、４４…接着剤、４５…ヨーク、４６…磁石、４７…接着剤、４８…打点定規、４９…係止部材、４９ａ…係止段部、４９ｂ…平面部、５０…打点定規、５０ａ…係止段部、５０ｂ…平面部。
【図１】
0003124256.tif 000003
【図２】
0003124256.tif 000004
【図３】
0003124256.tif 000005
【図４】
0003124256.tif 000006
【図５】
0003124256.tif 000007
【図６】
0003124256.tif 000008
【図７】
0003124256.tif 000009
【図８】
0003124256.tif 000010